(57)【要約】【課題】複数のシャワーノズルから液体が噴射される場合に相互に干渉するのを防止するように改良した下肢浴装置を提供する。【解決手段】下肢浴装置は、足が入れられる浴槽ユニット１と、入れられた足を支持する支持体１３と、支持体１３で支持された足に向けて所定温度の湯を複数方向から噴射することができるシャワーノズル装置１５とを備え、シャワーノズル装置１５は、足裏用シャワーノズル１６と、足甲用シャワーノズル１７と、足向脛用シャワーノズル１８と、足脹脛用シャワーノズル１９とを有して構成され、足裏用シャワーノズル１６及び足甲用シャワーノズル１７からの液体の噴射分布域の形状が円状の形状をなし、足向脛用シャワーノズル１８及び足脹脛用シャワーノズル１９からの液体の噴射分布域の形状が楕円状に近似した形状をなしたものとする。【選択図】図３
2010207373.tif 000002
【特許請求の範囲】
【請求項１】
足にシャワーを浴びせることにより人体の下肢を入浴させる下肢浴装置であって、
前記足が入れられる浴槽ユニットと、この入れられた前記足を支持する支持体と、この支持体で支持された前記足に向けて液体を複数方向から噴射することができるシャワーノズル装置とを備え、
前記シャワーノズル装置のシャワーノズルは、前記支持体で支持された足の裏側に向けて前記液体を噴射する足裏用シャワーノズルと、前記支持体で支持された足の甲側に向けて前記液体を噴射する足甲用シャワーノズルと、前記支持体で支持された足の向う脛側に向けて前記液体を噴射する足向脛用シャワーノズルと、前記支持体で支持された足の脹ら脛側に向けて前記液体を噴射する足脹脛用シャワーノズルとから構成され、
前記足裏用シャワーノズル及び足甲用シャワーノズルからの液体の噴射分布域の形状が真円状又はこれに近似した形状をなし、前記足向脛用シャワーノズル及び足脹脛用シャワーノズルからの液体の噴射分布域の形状が楕円状又はこれに近似した形状をなしていることを特徴とする下肢浴装置。
【請求項２】
前記液体は、相対的に高い温度で且つ人体に問題のない温度の液体であることを特徴とする請求項１に記載の下肢浴装置。
【請求項３】
各シャワーノズルから噴射される液体の噴射分布域の範囲は、前記足向脛用シャワーノズル及び足脹脛用シャワーノズルでは対象となる人体の脛について前記噴射口側から見た範囲を超えないように調整され、前記足裏用シャワーノズル及び足甲用シャワーノズルでは人体の足の甲及び足の裏について前記噴射口側から見た範囲を超えないように調整されていることを特徴とする請求項１又は請求項２に記載の下肢浴装置。
【請求項４】
各シャワーノズルの噴射口から噴射対象部位までの寸法を前記各シャワーノズルの用途に応じて設定したことを特徴とする請求項１から請求項３のいずれかに記載の下肢浴装置。
【請求項５】
前記シャワーノズル装置の各シャワーノズルに液体を供給するための液体供給手段を有し、この液体供給手段はドレン排出機構を備えており、このドレン排出機構により人体に問題のない温度の液体以外の温度の液体を排出することができることを特徴とする請求項１から請求項４のいずれかに記載の下肢浴装置。
【請求項６】
前記足裏用シャワーノズル、前記足甲用シャワーノズル、前記足向脛用シャワーノズル及び前記足脹脛用シャワーノズルは、アダプター部とノズル本体とで構成され、
前記足裏用シャワーノズルのノズル本体は、噴射口の径寸法が前記足甲用シャワーノズルよりも相対的に大きく、前記足脹脛用シャワーノズルのノズル本体は、噴射口の径寸法が前記足向脛用シャワーノズルの噴射口よりも相対的に大きくなっていると共に、  前記足向脛用シャワーノズル及び前記前記足脹脛用シャワーノズルのノズル本体は、当該ノズル本体の先端側に向けて開口したスリットが形成されていると共にこのスリット内において前記ノズル本体の先端側に向けて開口した噴射口を有し、この噴射口は前記スリットの長手方向に沿った内径寸法が前記スリットの短手方向に沿った内径寸法よりも長くなるように形成されており、
前記足裏用シャワーノズル及び足甲用シャワーノズルのノズル本体は、前記噴射口の開口近傍部位の形状が前記液体の噴射する方向に進むに従って小さくなっていることを特徴とする請求項１から請求項５のいずれかに記載の下肢浴装置。
【発明の詳細な説明】
【技術分野】
【０００１】
この発明は、老人や下肢に障害のある障害者のみならず一般人にも有用な下肢浴装置に関し、特に温水等の相対的に高温の液体を足に噴射させる複数のシャワーノズルからなるシャワーノズル装置に関する。
【背景技術】
【０００２】
足にマッサージ効果や熱移動効果が十分に及ぶようにして、従来品よりも一層、消炎沈痛効果、疲労回復、リラクゼーシヨン効果等の向上を図った下肢浴装置は、特許文献１に示されるように本願の出願人により特許出願されて既に公知となっている。
【０００３】
この下肢浴装置について上記特許文献１に基づいて概説すると、下肢浴装置は、人体の足が入れられる浴槽と、この入れられた足を支持する支持体と、この支持体に支持された足に向けて温水を噴射するシャワーノズルとを備え、このシャワーノズルの種別としては、支持体に支持された足の足裏に向けて温水を噴射する足裏用シャワーノズルと、支持体に支持された足の甲に向けて温水を噴射する甲用シャワーノズルと、下肢のふくらはぎに向けて温水を噴射するふくらはぎ用シャワーノズルとが少なくとも有り、このうち足裏用シャワーノズル及び甲用シャワーノズルの温水の噴射範囲を、足指にも及ぶように設定すると共に、前記支持体を、足の踵以外が浴槽内に露出するように踵を支承する凹部からなる踵支承部を有して構成されたものとしている。
【先行技術文献】
【特許文献】
【０００４】
【特許文献１】特開２００４−２９８５５８号公報
【発明の概要】
【発明が解決しようとする課題】
【０００５】
もっとも、足裏用シャワーノズル、甲用シャワーノズル及びふくらはぎ用シャワーノズルのそれぞれの噴射口から温水が噴射されるにあたり、足の甲、足の裏、足のふくらはぎの噴射対象部位以外の領域まで温水が噴射されると、噴射口から延びる噴射の軸線が交差する場合には一のシャワーノズルから噴射される温水と他のシャワーノズルから噴射される温水とが相互に干渉してしまうことが考えられる。そして、この温水同士の干渉により温水の運動エネルギーが低下してしまい、十分な衝突衝撃を噴射対象部位に与えられないことが想定される。この点、特許文献１に記載の下肢浴装置では、一のシャワーノズルから噴射される温水と他のシャワーノズルから噴射される温水とが相互に干渉する不具合の防止までは特に示されていない。
【０００６】
また、足裏には相対的に大きな衝撃（打力）が求められ、足の向う脛には相対に小さな衝撃が求められ、この衝撃の増減は噴射対象部位の面積あたりの噴射量の調節で行うことが考えられるが、この噴射量の調節のための構成についても特許文献１に記載の下肢浴装置では特に示されていない。
【０００７】
そこで、本発明は、複数のシャワーノズルから液体が噴射される場合に相互に干渉するのを防止するように改良すると共に噴射対象部位に応じて噴射領域を異ならせた下肢浴装置を提供することを目的とする。
【課題を解決するための手段】
【０００８】
この発明に係る下肢浴装置は、足にシャワーを浴びせることにより人体の下肢を入浴させる下肢浴装置であって、前記足が入れられる浴槽ユニットと、この入れられた前記足を支持する支持体と、この支持体で支持された前記足に向けて液体を複数方向から噴射することができるシャワーノズル装置とを備え、前記シャワーノズル装置のシャワーノズルは、前記支持体で支持された足の裏側に向けて前記液体を噴射する足裏用シャワーノズルと、前記支持体で支持された足の甲側に向けて前記液体を噴射する足甲用シャワーノズルと、前記支持体で支持された足の向う脛側に向けて前記液体を噴射する足向脛用シャワーノズルと、前記支持体で支持された足の脹ら脛側に向けて前記液体を噴射する足脹脛用シャワーノズルとから構成され、前記足裏用シャワーノズル及び足甲用シャワーノズルからの液体の噴射分布域の形状が真円状又はこれに近似した形状をなし、前記足向脛用シャワーノズル及び足脹脛用シャワーノズルからの液体の噴射分布域の形状が楕円状又はこれに近似した形状をなしていることを特徴としている（請求項１）。ここで、足裏用シャワーノズル、足甲用シャワーノズル、足脹脛用シャワーノズル及び足脹脛用シャワーノズルは、例えば右足用と左足用とのそれぞれに備えられている。
【０００９】
前記液体は、相対的に高い温度で且つ人体に問題のない温度の液体であること（請求項２）が好適である。ここで、この相対的に高い温度で且つ人体に問題のない温度の液体としては、例えば人体の皮膚に火傷を生じない温度の温水等が用いられる。
【００１０】
そして、この発明に係る下肢浴装置では、各シャワーノズルから噴射される液体の噴射分布域の範囲は、前記足向脛用シャワーノズル及び足脹脛用シャワーノズルでは対象となる人体の脛について前記噴射口側から見た範囲を超えないように調整され、前記足裏用シャワーノズル及び足甲用シャワーノズルでは人体の足の甲及び足の裏について前記噴射口側から見た範囲を超えないように調整されていることも特徴としている（請求項３）。
【００１１】
このように、各シャワーノズルから噴射される液体の噴射分布域の範囲を各々の噴射対象部位の範囲以下とすることにより、シャワーノズルから噴射された液体が噴射対象部位以外に無駄に噴射されることを防止することができ、一のシャワーノズルから噴射される液体と他のシャワーノズルから噴射される液体とが相互に干渉し合うのを回避することが可能となる。このため、各シャワーノズルから噴射される液体の運動エネルギーの低下を防止することができる。
【００１２】
更にこの発明に係る下肢浴装置では、各シャワーノズルの噴射口から噴射対象部位までの寸法を前記各シャワーノズルの用途に応じて設定したものとなっている（請求項４）。これにより、足裏用シャワーノズルでは、噴射口から足裏までの寸法値を他のシャワーノズルの場合に比し最も小さくすることによって、他のシャワーノズルから噴射される噴射分布域の範囲を相対的に狭くすることで、所定の面積あたりの液体の噴射量（液体の打撃力）を増すことが可能となることから、足裏に対する高いマッサージ効果を得ることが可能となる。また、足向脛用シャワーノズルでは、噴射口から足裏までの寸法値を他のシャワーノズルの場合に比し最も大きくすることによって、所定の面積あたりの液体の噴射量（液体の打撃力）を減らすことが可能となることから、向う脛に対しては衝撃の弱い柔らかな感触となるように液体を万遍なく噴射させることができ、利用者に対し噴射液が痛い等の不快感を与えるのを防止することが可能となる。
【００１３】
この発明に係る下肢浴装置は、前記シャワーノズル装置の各シャワーノズルに液体を供給するための液体供給手段を有し、この液体供給手段はドレン排出機構を備えており、このドレン排出機構により人体に問題のない温度の液体以外の温度の液体を排出することができる（請求項５）。これにより、相対的に高い温度で且つ人体に問題のない温度の液体以外の液体を、ドレン排出機構から下肢浴装置外に排出することができる。
【００１４】
この発明に係る下肢浴装置の各シャワーノズルの具体的構成を示すと、前記足裏用シャワーノズル、前記足甲用シャワーノズル、前記足向脛用シャワーノズル及び前記足脹脛用シャワーノズルは、アダプター部とノズル本体とで構成され、前記足裏用シャワーノズルのノズル本体は、噴射口の径寸法が前記足甲用シャワーノズルよりも相対的に大きく、前記足脹脛用シャワーノズルのノズル本体は、噴射口の径寸法が前記足向脛用シャワーノズルの噴射口よりも相対的に大きくなっていると共に、前記足向脛用シャワーノズル及び前記前記足脹脛用シャワーノズルのノズル本体は、当該ノズル本体の先端側に向けて開口したスリットが形成されていると共にこのスリット内において前記ノズル本体の先端側に向けて開口した噴射口を有し、この噴射口は前記スリットの長手方向に沿った内径寸法が前記スリットの短手方向に沿った内径寸法よりも長くなるように形成されており、前記足裏用シャワーノズル及び足甲用シャワーノズルのノズル本体は、前記噴射口の開口近傍部位の形状が前記液体の噴射する方向に進むに従って小さくなっている（請求項６）。
【発明の効果】
【００１５】
以上のように、この発明によれば、各シャワーノズルから噴射される液体の噴射分布域の範囲を各々の噴射対象部位の範囲以下とすることにより、シャワーノズルから噴射された液体が噴射対象部位以外に無駄に噴射されることを防止することができ、一のシャワーノズルから噴射される液体と他のシャワーノズルから噴射される液体とが相互に干渉し合うのを回避することが可能となるので、各シャワーノズルから噴射される液体の運動エネルギーの低下を防止することができる。
【００１６】
特に請求項４に記載の発明によれば、足裏用シャワーノズルでは、噴射口から足裏までの寸法値を他のシャワーノズルの場合に比し最も小さくすることによって、他のシャワーノズルから噴射される噴射分布域の範囲を相対的に狭くすることで、所定の面積あたりの液体の噴射量（液体の打撃力）を増すことが可能となることから、足裏に対する高いマッサージ効果を得ることが可能となる。また、足向脛用シャワーノズルでは、噴射口から足裏までの寸法値を他のシャワーノズルの場合に比し最も大きくすることによって、所定の面積あたりの液体の噴射量（液体の打撃力）を減らすことが可能となることから、向う脛に対しては衝撃の弱い柔らかな感触となるように液体を万遍なく噴射させることができ、利用者に対し噴射液が痛い等の不快感を与えるのを防止することが可能となる。
【００１７】
特に、請求項２と請求項５とに記載の発明によれば、相対的に高い温度で且つ人体に問題のない温度の液体以外の液体を、ドレン排出機構から下肢浴装置外に排出し、シャワーノズルから噴射されるおそれを確実に排除することよって、人体に対して危険な状態、不快な状態を回避することが可能である。
【図面の簡単な説明】
【００１８】
【図１】図１は、この発明に係る下肢浴装置の全体構成を示す簡略図である。
【図２】図２は、同上の下肢浴装置を構成する浴槽ユニットの構成を示す説明図である。
【図３】図３は、同上の浴槽ユニットにおける各用途に応じたシャワーノズルの配置及びこれらのシャワーノズルから噴射される温水の噴射分布域を側方から示した説明図である。
【図４】図４は、足裏用シャワーノズルのアダプター部とノズル本体とを分離した状態を示す説明図である。
【図５】図５は、足裏用シャワーノズルのアダプター部とノズル本体とを組み合わせた状態を示す説明図であり、図５（ａ）は足裏用シャワーノズルの側面図、図５（ｂ）は足裏用シャワーノズルの噴射口から見た状態の底面図である。
【図６】図６は、足甲用シャワーノズルのアダプター部とノズル本体とを分離した状態を示す説明図である。
【図７】図７は、足甲用シャワーノズルのアダプター部とノズル本体とを組み合わせた状態を示す説明図であり、図７（ａ）は足甲用シャワーノズルの側面図、図７（ｂ）は足甲用シャワーノズルの噴射口から見た状態の底面図である。
【図８】図８は、足裏用シャワーノズル及び足甲用シャワーノズルの噴射口からミスト状に吹き出さされる温水の状態を示す説明図であり、図８（ａ）は噴射分布域を噴射口の軸方向から見た状態を示す説明図、図８（ｂ）は噴射分布域を噴射口の径方向から見た状態を示す説明図である。
【図９】図９は、足向脛用シャワーノズルのアダプター部とノズル本体とを分離した状態を示す説明図である。
【図１０】図１０は、足向脛用シャワーノズルのアダプター部とノズル本体とを組み合わせた状態を示す説明図であり、図１０（ａ）は足向脛用シャワーノズルの側面図、図１０（ｂ）は足向脛用シャワーノズルの噴射口から見た状態の底面図である。
【図１１】図１１は、足脹脛用シャワーノズルのアダプター部とノズル本体とを分離した状態を示す説明図である。
【図１２】図１２は、足脹脛用シャワーノズルのアダプター部とノズル本体とを組み合わせた状態を示す説明図であり、図１２（ａ）は足脹脛用シャワーノズルの側面図、図１２（ｂ）は足脹脛用シャワーノズルの噴射口から見た状態の底面図である。
【図１３】図１３は、足向脛用シャワーノズル及び足脹脛用シャワーノズルの噴射口からミスト状に吹き出さされる温水の状態を示す説明図であり、図１３（ａ）は噴射分布域を噴射口の軸方向から見た状態を示す説明図、図１３（ｂ）は噴射分布域を噴射口の径方向から見た状態を示す説明図である。
【発明を実施するための形態】
【００１９】
以下、この発明の実施形態を図面に基づいて説明する。
【００２０】
図１から図１３において、この発明に係る下肢浴装置の構成の一例が示されており、この下肢浴装置は、図１に示されるように、浴槽ユニット１と、温水供給ユニット２０とで基本的に構成されている。
【００２１】
浴槽ユニット１は、人体の両方の足のうちおよそ膝から先側が入れられるもので、その外郭は図２に示されるように浴槽本体２と蓋体３とにより構成されており、これら浴槽本体２と蓋体３とは、例えば蓋体３に設けられた軸部４を浴槽本体２の側方内面に形成された窪み又は貫通孔（図示せず。）に回転自在に挿通させることにより連結されている。これにより、蓋体３の開閉は、図２に示されるように、当該蓋体３について軸部４を回転中心として浴槽本体２に対して遠近させる方向に回転させることで行うことが可能となっている。この蓋体３の開閉動作は、例えば蓋体３に設けられた把手５を持って行われる。
【００２２】
もっとも、浴槽本体２と蓋体３とを開閉可能に連結する構成は、上記したものに限定されず、図示しないが例えばヒンジ（蝶番）等の他の連結機器を用いても良い。
【００２３】
また、浴槽ユニット１のうち軸部４を有する側と反対側には両足が挿通可能な開口面積を有する開口部６が形成されている。この開口部６は、浴槽本体２に対し蓋体３側から下方に向けて切り欠かれるように形成された湾部６ａと蓋体３に対し浴槽本体２側から上方に向けて切り欠かれるように形成された湾部６ｂとを組み合わせることで構成される。すなわち、開口部６は、蓋体３を浴槽本体２側に回転させて、図２（ａ）の実線で示されるような閉じた状態とすることによりはじめて形成される。
【００２４】
このうち、蓋体３の湾部６ａは、図２（ｂ）に示されるように、浴槽ユニット１外に後述するシャワーノズル１６乃至１９からの温水が漏れるのを防止するためにシャワーカーテン７が取り付けられている。このシャワーカーテン７は、右足用の切り欠き８と左足用の切り欠き９とが当該シャワーカーテン７の下縁から上方に向かってのびるように形成されている。そして、切り欠き８、９の上縁近傍部位には、足の挿入の容易化のため及び足の太さが異なっても対応可能なようにスリット１０が複数にわたって設けられている。
【００２５】
尚、蓋体３の内部に、図示しないがもう１つシャワーカーテンが吊り下げられたものとしても良く、このシャワーカーテンにも差し込まれた足の周面に接することができる略半円形状の切り欠きが形成され、更にこの切り欠きに対し放射状に延びるスリットが設けられたものとしても良い。
【００２６】
これに対し、浴槽本体２の湾部６ｂは、足の例えば膝近傍の太股下面を支持することができるように２つの略半円状の窪み１１、１２により構成されている。
【００２７】
更に、浴槽ユニット１は、図３に示されるように、その内部の底面に支持体１３が上方に向けて隆起するかたちで設けられており、この支持体１３に足の踵部分を載置することで浴槽ユニット１内に開口部６から入れられた足を支持することが可能となっている。
【００２８】
更にまた、浴槽ユニット１内には、温水を複数方向から噴射することができるシャワーノズル装置１５が設けられている。このシャワーノズル装置１５は、図３に示されるように、支持体１３で支持された足の裏側に向けて温水を噴射する足裏用シャワーノズル１６と、支持体１３で支持された足の甲側に向けて温水を噴射する足甲用シャワーノズル１７と、支持体１３で支持された足の向う脛側に向けて温水を噴射する足向脛用シャワーノズル１８と、支持体１３で支持された足の脹ら脛側に向けて温水を噴射する足脹脛用シャワーノズル１９とから構成されている。
【００２９】
これらシャワーノズル１６乃至１９は、温水を粒子状（ミスト状）にして噴射する方式のもので、この実施例では、足裏用シャワーノズル１６は開口部６とは反対側となる浴槽ユニット１内の奥側の下方に位置すると共に開口部６に向けて温水を斜め上方に噴射することができるように設置され、足甲用シャワーノズル１７は浴槽ユニット１内部の略中央の上面側に位置すると共に浴槽ユニット１の奥に向けて温水を斜め下方に噴射することができるように設置されている。また、この実施例では、足向脛用シャワーノズル１８は、浴槽ユニット１内部の略中央の上面側で且つ足甲用シャワーノズル１７よりも開口部６寄りに位置すると共に開口部６に向けて温水を斜め下方に噴射することができる位置に設置され、足脹脛用シャワーノズル１９は開口部６近傍となる浴槽ユニット１内の下方に位置すると共に浴槽ユニット１の奥側に向けて温水を斜め下方に噴射することができるように設置されている。
【００３０】
そして、温水供給ユニット２０は、シャワーノズル装置１５のシャワーノズル１６乃至１９に対し好適な同じ圧力にて温水を供給するためのもので、図１に示されるように、浴槽ユニット１に近接して配置されると共に、図３に示されるように、相対的に高温の熱水を供給するための給水ポンプ２１と、冷水を供給するための給水ポンプ２２と、給水ポンプ２１で送られてくる相対的に高温の熱水に給水ポンプ２２で送られてくる冷水を混合して形成する温水の温度を調整するミキサ２３と、このミキサ２３で上記の人体に問題のない温度まで調整された温水をシャワーノズル１６乃至１９に送り出す加圧ポンプ２４とを有して構成されている。
【００３１】
ここで、図３において、温水供給ユニット２０のうち、符号２５で示されるものは加圧ポンプ２４よりも温水の下流側用の電磁バルブ、符号２６で示されるものは電磁バルブ２５よりも温水の上流側に設けられた浴槽ユニット１内からのドレン排出機構となる電磁バルブであり、符号２７で示されるものは給水ポンプ２１から延びる配管上に設けられた減圧器、符号２８で示されるものは圧力計、符号２９で示されるものは温度計である。また、温水供給ユニット２０のうち、符号３０で示されるものは給水ポンプ２２から延びる配管上に設けられた減圧器、符号３１で示されるものは圧力計、符号３２で示されるものは温度計である。更に、符号３３で示されるものは、ミキサ２３と加圧ポンプ２４との間に配置された減圧器である。
【００３２】
このような浴槽ユニット１及び温水供給ユニット２０から構成された下肢浴装置の利用手順を以下に説明する。
【００３３】
まず、図２の想像線に示されるように、蓋体３を上方に回転させて開いた状態とした後、利用者（入浴者）が自ら若しくは介護者の手を借りて、図１に示されるように椅子に着座したまま、足を浴槽ユニット１内に開口部６から入れる。この場合に、足の踵が浴槽ユニット１内の支持体１３に当たるまで足を浴槽ユニット１内に入れる必要がある。足の浴槽ユニット１内への挿入動作が完了したら、図２の実線に示されるように蓋体３を下方に回転させて閉じた状態とする。これにより、利用者の下肢浴の準備が完了する。
【００３４】
次に、図示しないＯＮ／ＯＦＦスイッチを押して温水供給ユニット２をＯＮ状態にして給水ポンプ２１、２２及び加圧ポンプ２４を稼働させる。この場合、電磁バルブ２５を閉状態、電磁バルブ２６を開状態にして温度調整運転を予め行って、適正温度になったことを確認してから、電磁バルブ２５を開状態、電磁バルブ２６を閉状態にして、シャワーノズル装置１５の各シャワーノズル１６乃至１９に温水を供給することが好ましい。
【００３５】
ここで、温水の適正温度とは、人体に問題のない温度、すなわち、皮膚に火傷（低温火傷を含む。）を生じない温度であることが最低条件であり、更に詳述すれば３５℃から４３℃の間であって、この温度未満の比較的低い温度も忌避されるべきであるところ、上記のように３５℃から４３℃の範囲外の温度であると判定した温水若しくは冷水をドレン水として排出し、シャワーノズルから噴射されるおそれを確実に排除することよって、人体に対して危険な状態、不快な状態を回避することが可能である。
【００３６】
尚、この実施例では、浴槽ユニット１と温水供給ユニット２０とが別個独立のユニットとして示されているが必ずしもこれに限定されず、両ユニット１、２０を統合して一体的なユニットにしても良いものであり、且つこの統合後のユニットについても特許請求の範囲に記載された浴槽ユニット１の範疇に含まれるものである。
【００３７】
ところで、シャワーノズル装置１５を構成する各シャワーノズル１６乃至１９は、図４、図６、図９及び図１１に示されるようにアダプター部３５と各ノズル本体１６ａ乃至１９ｂとの組み合わせで構成されているもので、アダプター部３５の共通化が図られている。
【００３８】
このうち、アダプター部３５は公知のものであり、ノズル本体１６ａ乃至１９ｂの下記する基部４０が収納される穴部３６が開口したホルダー３７が形成され、更に基部４０の側方から突出した係合突起４２が係合可能な係合孔３８がホルダー３７に対し穴部３６とは交差する方向に形成されている。
【００３９】
これに対し、足裏用シャワーノズルのノズル本体１６ａ及びノズル本体１７ａは、足裏用シャワーノズル１６及び足甲用シャワーノズル１７に対して充円錐ノズル（Full Cone Spray Nozzle)としての機能・作用を与えるためのもので、略円筒状の基部４０とこの基部４０の先端に設けられた先端部４１とから構成されている。
【００４０】
基部４０には、アダプター部３５の係合孔３８と係合可能な係合突起４２が形成され、これにより、アダプター部３５とノズル本体１６ａ、１７ａとを反対方向に、或いはいずれか一方のみを回転させることで、ノズル本体１６ａ、１７ａの係合突起４２がアダプター部３５の係合孔３８内に入り、アダプター部３５とノズル本体１６ａ、１７ａとを確実に固定、連結させることができる。
【００４１】
先端部４１は、図４、図５（ｂ）と図６、図７（ｂ）に示されるように２カ所で切り欠かれた略円状の外周部４３の内周側において基部４０側からこの基部４０とは反対側に進むに従いしぼむ略円錐形状（コーン状）の噴射突部４４が形成され、その先端に噴射口４５が開口している。
【００４２】
そして、噴射口４５の形状は、図５（ｂ）及び図７（ｂ）に示されるように、円形状若しくは円に近似する形状をなしており、これに伴って、噴射口４５から噴射される温水のシャワーパターンは図８（ａ）に示されるように噴射口４５の位置を示すＸポイントを中心とした円形状となっており、且つこの噴射口４５が略円錐形状の噴射突部４４の先端に形成されていることもあって温水の噴射分布域を噴射口４５の径方向から見た場合には裾広がりの台形状のように拡がったものとなっている。
【００４３】
更に、ノズル本体１６ａの噴射口４５の内径寸法Ｗ１はノズル本体１７ａの噴射口４５の内径寸法Ｗ２よりも大きくなっており、これに伴い、噴射口４５から噴射される温水の微粒子の粒子径は、足裏用シャワーノズル１６の噴射口４５から噴射される温水の微粒子では例えば約５００ミクロンメートルであるのに対し、足甲用シャワーノズル１７の噴射口４５から噴射される温水の微粒子では例えば約４００ミクロンメートルであり、足裏用シャワーノズル１６の方が足甲用シャワーノズル１７よりも大きくなっている。
【００４４】
また、足向脛用シャワーノズルのノズル本体１８ａ及び足脹脛用シャワーノズルのノズル本体１９ａは、足向脛用シャワーノズル１８及び足脹脛用シャワーノズル１９に対して一触ノズル（Standard Flat Spray Nozzle) としての機能・作用を与えるためのもので、略円筒状の基部４７とこの基部４７の先端に設けられた先端部４８とから構成されている。
【００４５】
基部４７は、足裏用シャワーノズル１６及び足甲用シャワーノズル１７の基部４０とほぼ同様の構成であり、アダプター部３５の係合孔３８と係合可能な係合突起４９が形成されて、アダプター部３５等を適宜に回転させることにより、この係合突起４９がアダプター部３５の係合孔３８内に入るので、アダプター部３５とノズル本体１８ａ、１９ａとを確実に固定、連結させることが可能となっている。
【００４６】
先端部４８は、図９、図１０（ｂ）と図１１、図１２（ｂ）に示されるように２カ所で切り欠かれた略円状の外周部５０の内周側において基部４７側からこの基部４７とは反対側に延びる略円柱状の噴射突部５１が形成されている。この噴射突部５１は、先端において、当該噴射突部５１の中心を通るように端から端まで直線的に延びると共に噴射突部５１の軸方向に沿っても所定の深度を有する切欠き５２が形成されている。そして、この切り欠５２の底面には略半球状の台座５３が形成されていると共にこの台座５３に噴射口５４が開口している。
【００４７】
また、噴射口５４の形状は、図１０（ｂ）及び図１２（ｂ）に示されるように、楕円形状若しくはラグビーボール等の楕円に近似する形状をなしており、これに伴って、噴射口５４から噴射される温水のシャワーパターンは図１３（ａ）に示されるように噴射口５４の位置を示すＸポントを中心とした楕円形状となっており、且つ噴射突部５３の形状もあって温水の噴射分布域を噴射口５４の径方向のうち長手方向から見た場合には開口が大きく底の浅い略椀形状のように拡がったものとなっている。
【００４８】
更に、ノズル本体１８ａの噴射口５４の短手方向の内径寸法Ｗ３はノズル本体１９ａの噴射口５４の短手方向の内径寸法Ｗ４よりも小さくなっており、これに伴い、ノズル噴射口５４から噴射される温水の微粒子の粒子径は、足向脛用シャワーノズル１８の噴射口５４から噴射される温水の微粒子では例えば約２００から３００ミクロンメートルであるのに対し、足脹脛用シャワーノズル１９の噴射口５４から噴射される温水の微粒子では例えば約４００ミクロンメートルであり、足向脛用シャワーノズル１８の方が足脹脛用シャワーノズル１９よりも小さくなっている。
【００４９】
このように、この下肢浴装置によれば、足裏用シャワーノズル１６及び足甲用シャワーノズル１７による温水のシャワーパターンが図８（ａ）に示されるように円形状であり、噴射口４５側から見て相対的に広い面積を有する足の裏や足の甲に対しその範囲をほぼ満たす範囲で且つ足の裏や足の甲の外縁を超えて温水が噴射されないように調整することが可能となっている。また、足向脛用シャワーノズル１８及び足脹脛用シャワーノズル１９による温水のシャワーパターンが図１３（ａ）に示されるように楕円状であり、噴射口４５側から見て相対的に狭く縦長の足の向う脛や足の脹ら脛に対しその部位の範囲を超えて温水が噴射されないように調整することが可能となっている。よって、この下肢浴装置では、各シャワーノズル１６乃至１９の噴射口４５、５４から噴射される温水が相互に干渉してしまうことが回避されている。
【００５０】
しかも、この下肢浴装置によれば、肉厚で相対的に強い衝撃が求められる足の裏に対しては、足裏用シャワーノズル１６の噴射口４５から噴射される温水の微粒子の粒子径が最も大きくなるようにしているので、足の裏に対する打力も最も大きくすることが可能となり、足の裏のマッサージとしては必要充分な打力を与えるよう設定することができると共に、肉薄で噴射される温水の衝突衝撃が骨に伝わり易い足の向う脛に対しては、全く温水の微粒子を当てないのではなく、代わりに足向脛用シャワーノズル１８の噴射口５４から噴射される温水の微粒子の粒子径が最も小さくなるようにしているので、足の向う脛に対する打力を最も小さいかたちで与えるよう設定することが可能となっている。更には、足の甲や足の脹ら脛に対してもこれらの対象部位の肉厚などの条件に応じて好適な打力を与えるように温水の微粒子の粒子径の設定が可能となっている。
【００５１】
そして、この下肢浴装置では、各シャワーノズル１６乃至１９の対象部位からの寸法も対象部位に応じて可変することが可能である。これにより、足裏用シャワーノズル１６においては、足の裏から噴射口４５までの寸法を相対に短くし、足の裏への温水の噴射領域を他のシャワーノズル１７乃至１９から噴射される温水の噴射領域に比し狭くすることで、所定の面積あたりの温水噴射量（衝撃若しくは打力）を増大することが可能となっており、これによって高いマッサージ効果を与えることができる。また、足向脛用シャワーノズル１８においては、向う脛から噴射口５４までの寸法を相対的に長くすることで、向う脛に向けての温水の噴射領域を他のシャワーノズル１６、１７及び１９から噴射される温水の噴射領域に比し広くなり、所定の面積あたりの温水噴射量も減少するので、他の部位と比較して鉛直方向への高さを有する向う脛に対して、衝撃若しくは打力が柔らかな液体を万遍なく噴射させることができる。
【符号の説明】
【００５２】
１  浴槽ユニット
２  浴槽本体
３  蓋体
４  軸部
５  把手
６  開口部
７  シャワーカーテン
８  切り欠き
９  切り欠き
１０  スリット
１１  窪み
１２  窪み
１３  支持体
１５  シャワーノズル装置
１６  足裏用シャワーノズル
１７  足甲用シャワーノズル
１８  足向脛用シャワーノズル
１９  足脹脛用シャワーノズル
２０  温水供給ユニット（温水供給手段）
２１  給水ポンプ
２２  給水ポンプ
２３  ミキサ
２４  加圧ポンプ
２５  電磁バルブ
２６  電磁バルブ（ドレン排出機構）
２７  減圧器
２８  圧力計
２９  温度計
３０  減圧器
３１  圧力計
３２  温度計
３５  アダプター部
３６ 穴部
３７  ホルダー
３８  係合孔
４０  基部
４１  先端部
４２  係合突起
４３  外周部
４４  噴射突部
４５  噴射口
４７  基部
４８  先端部
４９  係合突起
５０  外周部
５１  噴射突部
５２  切り欠き
５３  台座
５４  噴射口
【図１】
2010207373.tif 000003
【図２】
2010207373.tif 000004
【図３】
2010207373.tif 000005
【図４】
2010207373.tif 000006
【図５】
2010207373.tif 000007
【図６】
2010207373.tif 000008
【図７】
2010207373.tif 000009
【図８】
2010207373.tif 000010
【図９】
2010207373.tif 000011
【図１０】
2010207373.tif 000012
【図１１】
2010207373.tif 000013
【図１２】
2010207373.tif 000014
【図１３】
2010207373.tif 000015